(57)【特許請求の範囲】
【請求項１】
雄型接触部を有する複数のコンタクトがハウジングに支持され、相手コネクタと嵌合する嵌合部が前記ハウジングに一体的に形成される嵌合壁と該嵌合壁の両側面に露出されるようにして前記嵌合壁内に並置される複数の前記雄型接触部とを含み、前記複数のコンタクトは、前記雄型接触部の先端近傍が前記嵌合壁の一面側に対して制止される第１コンタクトと、前記嵌合壁の対向面側に対して制止される第２コンタクトとを有する電気コネクタにおいて、
前記複数のコンタクトは、前記ハウジング内に一列に配列され、
前記複数のコンタクトの各々の前記雄型接触部が、前記嵌合壁の両側面に露出しており、
前記第１コンタクト及び前記第２コンタクトは、交互に配置されていることを特徴とする電気コネクタ。
【請求項２】
前記雄型接触部の先端部には、傾斜端縁が形成され、
前記嵌合壁には、前記傾斜端縁と略同じ角度に傾斜する傾斜面が形成され、
前記第１及び第２コンタクトの前記傾斜端縁は、互いに異なる側の前記傾斜面に面することを特徴とする請求項１記載の電気コネクタ。
【発明の詳細な説明】
【０００１】
【発明の属する技術分野】
本発明は、複数の雄型接触部を含む小型の電気コネクタに関する。
【０００２】
【従来の技術】
この種の電気コネクタの例が、特開平９−３２０６９３号公報に開示される。開示される電気コネクタは、ハウジングに支持される複数のコンタクトを有する。コンタクトは、相手コネクタの雌型のコンタクトに係合する雄型接触部を有する。電気コネクタの嵌合部は、ハウジングに一体的に形成されて略水平方向に延びる板状の嵌合壁と嵌合壁内に並置されるコンタクトの雄型接触部とから構成される。雄型接触部は嵌合壁の両側に露出され両側で相手コンタクトに係合する。嵌合壁は雄型接触部を保護し、それらの適正位置を維持するよう作用する。並置される雄型接触部は、その先端位置で嵌合壁に重なるように係合し、これによって嵌合壁に対して垂直方向の互いの位置ずれが防止される。各雄型接触部の先端部は嵌合壁の両外側に向けて重ねて配置され制止される。
【０００３】
【発明の解決すべき課題】
近年、電気コネクタは更に小型化される傾向にある。小型の電気コネクタによれば、上述の公報の如く雄型接触部の先端部を両外側に係合させるよう構成した場合、樹脂の機械的強度を維持するためには雄型接触部と嵌合壁との重なり寸法を比較的小さくする必要があり、そのような設定のもとでは大きな組立の製造交差を生じた場合には係合が外れて制止が解除されてしまう虞が生じる。従って本発明の目的は、比較的小型にしても係合壁とコンタクトの雄型接触部との係合が解除されない構成の電気コネクタを提供することにある。
【０００４】
【課題を解決するための手段】
本発明は、雄型接触部を有する複数のコンタクトがハウジングに支持され、相手コネクタと嵌合する嵌合部が前記ハウジングに一体的に形成される嵌合壁と該嵌合壁の両側面に露出されるようにして前記嵌合壁内に並置される複数の前記雄型接触部とを含む電気コネクタにおいて、前記複数のコンタクトは、前記雄型接触部の先端近傍が前記嵌合壁の一面側に対して制止される第１コンタクトと、前記嵌合壁の対向面側に対して制止される第２コンタクトとを有することを特徴とする。
【０００５】
好ましくは、前記第１コンタクトと前記第２コンタクトとは交互に配置される。
【０００６】
好ましくは、前記雄型接触部は前記嵌合壁を交差する方向に延びる金属板によって構成される。
【０００７】
好ましくは、前記雄型接触部の先端部には傾斜端縁が形成され、該傾斜端縁は前記第１及び第２コンタクトで相違する側に面するよう傾斜する。前記嵌合壁には、前記傾斜端縁と略同じ角度で傾斜して前記傾斜端縁を制止するよう係合する傾斜面又は制止面を有する。
【０００８】
【発明の実施の形態】
以下に添付図面を参照して、本発明の好適実施形態となる電気コネクタについて詳細に説明する。
【０００９】
図１は、本発明の好適実施形態となる電気コネクタを示す図で、（ａ）は平面図、（ｂ）は正面図、及び（ｃ）は底面図である。図２は、電気コネクタの幅方向の断面図であり、（ａ）、（ｂ）はそれぞれ線Ａ−Ａに沿う位置及び線Ｂ−Ｂに沿う位置の断面を示す図である。
【００１０】
図１に示す電気コネクタ１０は、回路基板の端部に実装される型のものであり、細長のハウジング２０に支持される複数の雄型のコンタクト５０、７０、両端に位置する固定用ペグ３０、及びハウジング２０の一部に重なるように置かれる接地部材４０を有する。コンタクト５０、７０及びペグ３０は回路基板に表面実装されるものであり、それぞれ表面実装型の接続部５１、７１、３１を有する。信号接続に使用されるコンタクト５０、７０は２種類のコンタクトから構成される点に注目すべきである。
【００１１】
図２を共に参照して理解されるように、コンタクト５０、７０は電気コネクタ１０の高さ方向に広がる板面を有し、圧入部５６、７６による圧入係合によってハウジング２０内に同一方向を向くようにして一列に並べて固定される。これによりハウジング２０の一側に接続部５１、７１が並べて配置され、対向側に図示しない相手コネクタのコンタクトに接触する接触部５２、７２が配置される。
【００１２】
コンタクト５０、７０の接触部５２、７２を含む嵌合部１５は、ハウジング２０に一体的に形成されて接触部５２、７２を保護すべくそれらを２次元方向に包囲する壁（嵌合壁）２１を具える。壁２１は十分薄厚とされ、接触部５２、７２の端縁５３、５４、７３、７４を上下両側に露出される。
【００１３】
図２から理解されるように、２種類のコンタクト５０、７０の相違点は、接触部５２、７２の形状にある。図示されるように、コンタクト５０の接触部５２の先端には斜め底側を向く傾斜端縁５７が形成され、コンタクト７０の接触部７２の先端には斜め頂側を向く傾斜端縁７７が形成される。一方接触部５２、７２をそれぞれ受容するよう壁２１に形成されるスロット２５、２６内には傾斜端縁５７、７７に略近接して略平行に延びそれらに面する傾斜面２７、２８が形成される。
【００１４】
壁２１とコンタクト５０、７０の接触部５２、７２とが上述の如き係合関係を有することで、接触部５２、７２と壁２１とが所定の位置関係を維持することができる。即ち、相手コネクタとの嵌合時等に、ハウジング２０に支持されたコンタクト５０、７０に対して壁２１が頂側に押されるときには、スロット２５内の傾斜面２７がコンタクト５０の接触部５２の傾斜端縁５７に制止され、これによってその変位が阻止される。逆に壁２１が底側に押されるときには、スロット２６内の傾斜面２８がコンタクト７０の接触部７２の傾斜端縁７７に制止され、これによってその変位が阻止される。図１から理解されるように、コンタクト５０、７０を及びそれらをそれぞれ受容するスロット２５、２６はコンタクト配列方向に交互に設けられるので、壁２１の制止は極めて効果的に実現できる。
【００１５】
この構成による利点は、傾斜端縁５７、７７と接触部５２、７２の重なり寸法（図２中に示す寸法Ｓ１、Ｓ２）を十分大きく設定できることである。従って、電気コネクタ１０を十分小型に構成して、電気コネクタの全寸法に比較して製造組立公差が比較的大きくなる場合でも、接触部５２、７２と傾斜端縁５７、７７との係合による制止作用を保証できる。換言すれば、接続信頼性の高い電気コネクタ１０を十分小型に実現できる。
【００１６】
以上のように本発明の好適実施形態となる電気コネクタについて詳細に説明したが、これはあくまでも例示的なものであるので、本発明を制限するものではなく、当業者によって様々な変形変更が可能である。
【００１７】
【発明の効果】
本発明の電気コネクタによれば、複数のコンタクトは、雄型接触部の先端近傍が嵌合壁の一面側に対して制止される第１コンタクトと、嵌合壁の対向面側に対して制止される第２コンタクトとを有するので、比較的小型にしても係合壁とコンタクトの雄型接触部との係合が解除されず、よって小型にして接続信頼性の高い電気コネクタを実現できる。
【図面の簡単な説明】
【図１】本発明の好適実施形態となる電気コネクタを示す図で、（ａ）は平面図、（ｂ）は正面図、及び（ｃ）は底面図。
【図２】電気コネクタの幅方向の断面図であり、（ａ）、（ｂ）はそれぞれ線Ａ−Ａに沿う位置及び線Ｂ−Ｂに沿う位置の断面を示す図。
【符号の説明】
１０          電気コネクタ
１５          嵌合部
２０          ハウジング
２１          嵌合壁
５０          第１コンタクト
５２          第１コンタクトの接触部
７０          第２コンタクト
７２          第２コンタクトの接触部
【図１】
0004155428.tif 000002
【図２】
0004155428.tif 000003